(57)【要約】【課題】  開閉操作が簡単で、且つ確実に開閉蓋をロックすることができる開閉蓋のロック装置を提供する。【解決手段】  機器ケース１に一端部が取り付けられて他端部に開閉操作部１７が設けられた第１ロック部材１２と、この第１ロック部材１２の下面に取り付けられたリンク部材１３と、このリンク部材１３に一端部が取り付けられて他端部に開閉蓋５の縁部５ａを係脱可能にロックするロック部１５が設けられた第２ロック部材１４とを備え、第１ロック部材１２を閉じる方向に回動させると、リンク部材１３が第２ロック部材１４をスライドさせ、ロック部１５を引き寄せて開閉蓋５の縁部５ａをロックする。従って、第１ロック部材１２を回動させるだけの簡単な操作で、確実に開閉蓋５をロックすることができる。【選択図】        図４
2007059662.tif 000002
【特許請求の範囲】
【請求項１】
機器ケースの収納部を開閉自在に塞ぐ開閉蓋を閉じた状態でロックする開閉蓋のロック装置において、
前記機器ケースに一端部が回動可能に取り付けられて他端部に開閉操作部が設けられた第１ロック部材と、この第１ロック部材の内面に回動可能に取り付けられたリンク部材と、このリンク部材に一端部が回動可能に取り付けられて他端部に前記開閉蓋の縁部を係脱可能にロックするロック部が設けられた第２ロック部材とを備え、
前記開閉蓋を閉じた状態で前記第１ロック部材を閉じる方向に回動させると、前記リンク部材が前記第２ロック部材をスライドさせて前記ロック部を前記機器ケース側に向けて引き寄せることにより、前記ロック部が前記開閉蓋の前記縁部をロックして前記開閉蓋を前記機器ケースに圧接させることを特徴とする開閉蓋のロック装置。
【請求項２】
前記第１ロック部材はその下面側に開放された収納凹部を有し、前記リンク部材は前記第１ロック部材の前記収納凹部内に配置される平板状に形成され、前記第２ロック部材は前記第１ロック部材の前記収納凹部内に配置される平板状に形成されていると共に、前記ロック部と反対側に位置する部分に前記リンク部材が挿入する切欠け収納部が設けられていることを特徴とする請求項１に記載の開閉蓋のロック装置。
【請求項３】
前記第１ロック部材における前記開閉操作部には、前記第１ロック部材の内側に向けて外力が加わると、前記第２ロック部材の前記ロック部に係止されて前記第１ロック部材の開動作を規制する補助ロック部材が設けられていることを特徴とする請求項１または２に記載の開閉蓋のロック装置。
【請求項４】
前記補助ロック部材は、前記第１ロック部材の前記開閉操作部に回動可能に取り付けられたフラップと、このフラップを前記第１ロック部材の外側に向けて付勢するばね部材とを備え、前記フラップに外力が加わったときに、このフラップが前記ばね部材のばね力に抗して回動し、この回動したフラップが前記第２ロック部材の前記ロック部に係止されることを特徴とする請求項３に記載の開閉蓋のロック装置。
【請求項５】
前記補助ロック部材は、前記第１ロック部材の前記開閉操作部に回動可能に取り付けられたフラップと、このフラップを前記第１ロック部材の外側に向けて付勢するばね部材と、前記フラップに設けられた係合爪と、前記第２ロック部材の前記ロック部に設けられて前記フラップの前記係合爪が係脱可能に係合する係止部とを備え、前記フラップに外力が加わったときに、このフラップが前記ばね部材のばね力に抗して回動し、この回動したフラップの前記係合爪が前記第２ロック部材における前記ロック部の前記係止部に係脱可能に係合することを特徴とする請求項３に記載の開閉蓋のロック装置。
【請求項６】
前記補助ロック部材は、前記第１ロック部材の前記開閉操作部の両側を除く中央部分に設けられていることを特徴とする請求項３〜５のいずれかに記載の開閉蓋のロック装置。
【請求項７】
前記開閉蓋を閉じるときに、前記第１ロック部材の前記開閉操作部と前記第２ロック部材の前記ロック部とが互いに係脱可能に係合する第３ロック部材を備えていることを特徴とする請求項１〜６のいずれかに記載の開閉蓋のロック装置。
【請求項８】
機器ケースの収納部を開閉自在に塞ぐ開閉蓋を有する防水機器において、
前記機器ケースに一端部が回動可能に取り付けられて他端部に開閉操作部が設けられた第１ロック部材と、この第１ロック部材の内面に回動可能に取り付けられたリンク部材と、このリンク部材に一端部が回動可能に取り付けられて他端部に前記開閉蓋の縁部を係脱可能にロックするロック部が設けられた第２ロック部材とからなり、
前記開閉蓋を閉じた状態で前記第１ロック部材を閉じる方向に回動させると、前記リンク部材が前記第２ロック部材をスライドさせて前記ロック部を前記機器ケース側に向けて引き寄せることにより、前記ロック部が前記開閉蓋の前記縁部をロックして前記開閉蓋を前記機器ケースに圧接させるようにした前記開閉蓋のロック構造を備えていることを特徴とする防水機器。
【発明の詳細な説明】
【技術分野】
【０００１】
この発明は、ディスクプレーヤや電子カメラなどの各種機器に用いられる開閉蓋のロック装置、および防水機能を備えたディスクプレーヤや電子カメラなどの防水機器に関する。
【背景技術】
【０００２】
従来、電子カメラなどの電子機器においては、特許文献１に記載されているように、カメラ本体のグリップ部にメモリカードなどの記録媒体を格納するための格納室が設けられ、この格納室の開口部に蓋が開閉可能に取り付けられている。
【特許文献１】特開２００５−５７８３号
【０００３】
この種の蓋開閉装置は、格納室の防水を図るために、カメラ本体に対して蓋を回動可能に軸支する軸支機構と、格納室内に固定されて軸支機構をスラド可能にガイドするガイド機構と、蓋の内周面に設けられた防水パッキンとを備え、軸支機構のシャフトを中心に蓋が回動すると共に、このシャフトをガイド機構のガイド溝に沿って移動させながら蓋をスライドさせることにより、蓋の防水パッキンを格納室の開口部に密接させた状態で、蓋が閉じるように構成されている。
【０００４】
すなわち、この防水構造の蓋開閉装置では、カメラ本体の格納室を閉じるときに、軸支機構のシャフトを中心に蓋を回動させて格納室の開口部に接近させ、この状態で軸支機構のシャフトをガイド機構のガイド溝に沿って移動させながら蓋をスライドさせると、蓋の内面に設けられた係止部が格納室内に設けられた係合部に係合することにより、蓋の内周面に設けられた防水パッキンを格納室の開口部に圧接させ、これにより格納室の気密性を確保している。
【発明の開示】
【発明が解決しようとする課題】
【０００５】
しかしながら、このような従来の蓋開閉装置では、蓋を閉じるときに、軸支機構のシャフトを中心に蓋を回動させた後に、そのシャフトをガイド機構のガイド溝に沿って移動させながら蓋をライドさせて、蓋の内周面に設けられた防水パッキンを格納室の開口部に圧接させなければならない。また、蓋を開くときには、軸支機構のシャフトをガイド機構のガイド溝に沿って移動させながら蓋をスライドさせ、蓋の係止部を格納室の係合部から離脱させ、この状態で軸支機構のシャフトを中心に蓋を回動させなければならない。
【０００６】
このため、この防水構造の蓋開閉装置では、蓋を開閉するときに、軸支機構のシャフトを中心に蓋を回動させる回動操作と、軸支機構のシャフトをガイド機構のガイド溝に沿って移動させながら蓋をスライドさせるスライド操作とを、交互に行わなければならないため、蓋の開閉作業が煩雑で面倒であるという問題がある。特に、軸支機構のシャフトをガイド機構のガイド溝に沿って移動させながら蓋をスライドさせるスライド操作は、強い操作力を必要とするため、操作性が極めて悪いという問題がある。
【０００７】
この発明が解決しようとする課題は、開閉操作が簡単で、且つ確実に開閉蓋をロックすることができる開閉蓋のロック装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図１７に示すように、機器ケース（１）の収納部（ディスク収納部４）を開閉自在に塞ぐ開閉蓋（５）を閉じた状態でロックする開閉蓋のロック装置において、
前記機器ケースに一端部が回動可能に取り付けられて他端部に開閉操作部（１７）が設けられた第１ロック部材（１２）と、この第１ロック部材の内面に回動可能に取り付けられたリンク部材（１３）と、このリンク部材に一端部が回動可能に取り付けられて他端部に前記開閉蓋の縁部（５ａ）を係脱可能にロックするロック部（１５）が設けられた第２ロック部材（１４）とを備え、
前記開閉蓋を閉じた状態で前記第１ロック部材を閉じる方向に回動させると、前記リンク部材が前記第２ロック部材をスライドさせて前記ロック部を前記機器ケース側に向けて引き寄せることにより、前記ロック部が前記開閉蓋の前記縁部をロックして前記開閉蓋を前記機器ケースに圧接させることを特徴とする開閉蓋のロック装置である。
【００１０】
請求項２に記載の発明は、図１〜図１７に示すように、前記第１ロック部材（１２）がその下面側に開放された収納凹部（１６）を有し、前記リンク部材（１３）が前記第１ロック部材の前記収納凹部内に配置される平板状に形成され、前記第２ロック部材（１４）は前記第１ロック部材の前記収納凹部内に配置される平板状に形成されていると共に、前記ロック部（１５）と反対側に位置する部分に前記リンク部材が挿入する切欠け収納部（２２）が設けられていることを特徴とする請求項１に記載の開閉蓋のロック装置である。
【００１１】
請求項３に記載の発明は、図１〜図１７に示すように、前記第１ロック部材（１２）における前記開閉操作部（１７）に、前記第１ロック部材の内側に向けて外力が加わると、前記第２ロック部材（１４）の前記ロック部（１５）に係止されて前記第１ロック部材の開動作を規制する補助ロック部材（２５、４１、５１）が設けられていることを特徴とする請求項１または２に記載の開閉蓋のロック装置である。
【００１２】
請求項４に記載の発明は、図１〜図１１、および図１４〜図１７に示すように、前記補助ロック部材（２５、５１）が、前記第１ロック部材（１２）の前記開閉操作部（１７）に回動可能に取り付けられたフラップ（２７、５３）と、このフラップを前記第１ロック部材の外側に向けて付勢するばね部材（２８）とを備え、前記フラップに外力が加わったときに、このフラップが前記ばね部材のばね力に抗して回動し、この回動したフラップが前記第２ロック部材（１４）の前記ロック部（１５）に係止されることを特徴とする請求項３に記載の開閉蓋のロック装置である。
【００１３】
請求項５に記載の発明は、図１２および図１３に示すように、前記補助ロック部材（４１）が、前記第１ロック部材（１２）の前記開閉操作部（１７）に回動可能に取り付けられたフラップ（２７）と、このフラップを前記第１ロック部材の外側に向けて付勢するばね部材（２８）と、前記フラップに設けられた係合爪（４２）と、前記第２ロック部材（１４）の前記ロック部（１５）に設けられて前記フラップの前記係合爪が係脱可能に係合する係止部（係止突起４３）とを備え、前記フラップに外力が加わったときに、前記フラップが前記ばね部材のばね力に抗して回動し、この回動したフラップの前記係合爪が前記第２ロック部材における前記ロック部の前記係止部に係脱可能に係合することを特徴とする請求項３に記載の開閉蓋のロック装置である。
【００１４】
請求項６に記載の発明は、図１４〜図１７に示すように、前記補助ロック部材（５１）が、前記第１ロック部材（１２）の前記開閉操作部（１７）の両側を除く中央部分に設けられていることを特徴とする請求項３〜５のいずれかに記載の開閉蓋のロック装置である。
【００１５】
請求項７に記載の発明は、図１〜図１７に示すように、前記開閉蓋（５）を閉じるときに、前記第１ロック部材（１２）の前記開閉操作部（１７）と前記第２ロック部材（１４）の前記ロック部（１５）とが互いに係脱可能に係合する第３ロック部材（３０）を備えていることを特徴とする請求項１〜６のいずれかに記載の開閉蓋のロック装置である。
【００１６】
請求項８に記載の発明は、図１〜図１７に示すように、機器ケース（１）の収納部（ディスク収納部４）を開閉自在に塞ぐ開閉蓋（５）を有する防水機器において、
前記機器ケースに一端部が回動可能に取り付けられて他端部に開閉操作部（１７）が設けられた第１ロック部材（１２）と、この第１ロック部材の内面に回動可能に取り付けられたリンク部材（１３）と、このリンク部材に一端部が回動可能に取り付けられて他端部に前記開閉蓋の縁部（５ａ）を係脱可能にロックするロック部（１５）が設けられた第２ロック部材（１４）とからなり、
前記開閉蓋を閉じた状態で前記第１ロック部材を閉じる方向に回動させると、前記リンク部材が前記第２ロック部材をスライドさせて前記ロック部を前記機器ケース側に向けて引き寄せることにより、前記ロック部が前記開閉蓋の前記縁部をロックして前記開閉蓋を前記機器ケースに圧接させるようにした前記開閉蓋のロック構造を備えていることを特徴とする防水機器である。
【発明の効果】
【００１７】
請求項１に記載の発明によれば、機器ケースに一端部が回動可能に取り付けられて他端部に開閉操作部が設けられた第１ロック部材と、この第１ロック部材の内面に回動可能に取り付けられたリンク部材と、このリンク部材に一端部が回動可能に取り付けられて他端部に開閉蓋の縁部を係脱可能にロックするロック部が設けられた第２ロック部材とを備え、開閉蓋を閉じた状態で第１ロック部材を閉じる方向に回動させると、リンク部材が第２ロック部材をスライドさせて第２ロック部材のロック部を機器ケース側に向けて引き寄せることにより、ロック部が開閉蓋の縁部をロックして開閉蓋を機器ケースに圧接させる。
【００１８】
このため、第１ロック部材を回動させて閉じるだけで、簡単に開閉蓋を機器ケースに圧接させて、機器ケースの収納部を開閉蓋で塞ぐことができ、これにより気密性を確保して、確実に開閉蓋をロックすることができる。また、開閉蓋を開くときには、第１ロック部材を回動させて開くと、これに連動してリンク部材が第２ロック部材を逆方向にスライドさせて、第２ロック部材のロック部を開閉蓋の縁部から離脱させるので、簡単に開閉蓋のロックを解除して開閉蓋を開くことができる。このため、第１ロック部材を回動操作するだけの簡単な操作で、開閉蓋を開閉させることができるので、開閉操作性が良いばかりか、開閉蓋を閉じたときに、確実に開閉蓋をロックすることができる。
【００１９】
請求項２に記載の発明によれば、第１ロック部材がその下面側に開放された収納凹部を有し、リンク部材が第１ロック部材の収納凹部内に配置される平板状に形成され、第２ロック部材は第１ロック部材の収納凹部内に配置される平板状に形成されていると共に、ロック部と反対側に位置する部分にリンク部材が挿入する切欠け収納部が設けられていることにより、第１ロック部材を閉じて開閉蓋をロックした状態のときに、第２ロック部材の切欠け収納部内にリンク部材を収納することができると共に、これらリンク部材と第２ロック部材とを第１ロック部材の収納凹部内に収納することができ、これにより全体がコンパクトになるばかりか、リンク部材と第２ロック部材とが外部から見えないため、外観がすっきりした形状になり、デザイン性の高いものを得ることができる。
【００２０】
請求項３に記載の発明によれば、第１ロック部材における開閉操作部に、第１ロック部材の内側に向けて外力が加わると、第２ロック部材のロック部に係止されて第１ロック部材の開動作を規制する補助ロック部材が設けられていることにより、例えば防水性能を検査する際、第１ロック部材の開閉操作部に水道水などの水を直接噴き付けると、その水の圧力によって補助ロック部材が第２ロック部材のロック部に係止されて第１ロック部材の開動作を規制するので、噴き付けられた水の圧力が第１ロック部材を開く方向に加わっても、補助ロック部材によって第１ロック部材が開かないようにロックすることができ、これにより確実に開閉蓋のロック状態を維持することができると共に、第１ロック部材の開閉操作力を軽減することができるので、第１ロック部材の開閉操作性を向上させることができる。
【００２１】
請求項４に記載の発明によれば、補助ロック部材が、第１ロック部材の開閉操作部に回動可能に取り付けられたフラップと、このフラップを第１ロック部材の外側に向けて付勢するばね部材とを備え、フラップに外力が加わったときに、このフラップがばね部材のばね力に抗して回動し、この回動したフラップが第２ロック部材のロック部に係止されることにより、フラップに外力が加わっても、第１ロック部材の開動作を阻止することができるので、開閉蓋が勝手に開かないように、確実に開閉蓋のロック状態を維持することができる。
【００２２】
すなわち、請求項３に記載の発明と同様、防水性能を検査する際、第１ロック部材の開閉操作部に水道水などの水を直接噴き付けると、その水圧によってフラップがばね部材のばね力に抗して回動し、このフラップが第２ロック部材のロック部に係止されるので、第１ロック部材の開動作を阻止することができ、これにより開閉蓋が勝手に開かないように、開閉蓋のロック状態を確実に維持することができると共に、第１ロック部材の開閉操作力を軽減することができる。また、第１ロック部材を開くときには、フラップがばね部材のばね力によって回動して初期位置に戻り、フラップが第２ロック部材のロック部から離脱するので、第１ロック部材を簡単に回動させることができ、これにより第１ロック部材の開閉操作性を向上させることができると共に、容易に開閉蓋を開くことができる。
【００２３】
請求項５に記載の発明によれば、補助ロック部材が、第１ロック部材の開閉操作部に回動可能に取り付けられたフラップと、このフラップを第１ロック部材の外側に向けて付勢するばね部材と、フラップに設けられた係合爪と、第２ロック部材のロック部に設けられてフラップの係合爪が係脱可能に係合する係止部とを備え、フラップに外力が加わったときに、フラップがばね部材のばね力に抗して回動し、この回動したフラップの係合爪が第２ロック部材におけるロック部の係止部に係脱可能に係合することにより、フラップに外力が加わっても、第１ロック部材の開動作を阻止することができるので、開閉蓋が勝手に開かないように、確実に開閉蓋のロック状態を維持することができる。
【００２４】
すなわち、請求項３に記載の発明と同様、防水性能を検査する際、第１ロック部材の開閉操作部に水道水などの水を直接噴き付けると、その水圧によってフラップがばね部材のばね力に抗して回動し、このフラップの係合爪が第２ロック部材におけるロック部の係止部に係合するので、第１ロック部材の開動作を確実に阻止することができ、これにより開閉蓋が勝手に開かないように、開閉蓋のロック状態を確実に維持することができると共に、第１ロック部材の開閉操作力を軽減することができる。また、第１ロック部材を開くときには、フラップがばね部材のばね力によって回動して初期位置に戻り、フラップの係合爪が第２ロック部材におけるロック部の係止部から離脱するので、請求項４に記載の発明と同様、第１ロック部材を簡単に回動させることができ、これにより第１ロック部材の開閉操作性を向上させることができると共に、容易に開閉蓋を開くことができる。
【００２５】
請求項６に記載の発明によれば、補助ロック部材が第１ロック部材の開閉操作部の両側を除く中央部分に設けられていることにより、請求項３〜５に記載の発明と同様、防水性能を検査する際、噴き付けられた水の圧力によって補助ロック部材が第２ロック部材のロック部に係止されて、第１ロック部材が開かないようにロックすることができるほか、特に機器ケースを携帯するときに、誤って第１ロック部材を掴んで持ち上げても、そのときに補助ロック部材が第１ロック部材の内側に向けて押されるので、この補助ロック部材が第２ロック部材のロック部に係止されて、第１ロック部材が開かないようにロックすることができ、これにより第１ロック部材を掴んで持ち上げても、開閉蓋が勝手に開かないように確実に開閉蓋のロック状態を維持することができる。
【００２６】
請求項７に記載の発明によれば、開閉蓋を閉じるときに、第１ロック部材の開閉操作部と第２ロック部材のロック部とが互いに係脱可能に係合する第３ロック部材を備えていることにより、この第３ロック部材によって第１ロック部材と第２ロック部材との係合力を確保することができ、これにより第１ロック部材の開閉力を適度に設定することができる。この場合、第３ロック部材による第１ロック部材と第２ロック部材との係合力を調節して、第１ロック部材の開閉力を強くしたり、また弱くしたりすることにより、第１ロック部材の開閉力を所望する値に設定することができ、これにより使い勝手の良いものを得ることができる。
【００２７】
請求項８に記載の発明によれば、機器ケースに一端部が回動可能に取り付けられて他端部に開閉操作部が設けられた第１ロック部材と、この第１ロック部材の内面に回動可能に取り付けられたリンク部材と、このリンク部材に一端部が回動可能に取り付けられて他端部に開閉蓋の縁部を係脱可能にロックするロック部が設けられた第２ロック部材とからなり、開閉蓋を閉じた状態で第１ロック部材を閉じる方向に回動させると、リンク部材が第２ロック部材をスライドさせて第２ロック部材のロック部を機器ケース側に向けて引き寄せることにより、ロック部が開閉蓋の縁部をロックして開閉蓋を機器ケースに圧接させる開閉蓋のロック構造を備えている。
【００２８】
このため、この防水機器では、第１ロック部材を回動させて閉じるだけで、簡単に開閉蓋を機器ケースに圧接させて、機器ケースの収納部を開閉蓋で塞ぐことができ、これにより気密性を確保して、確実に開閉蓋をロックすることができるので、機器全体の防水性を確保することができる。また、開閉蓋を開くときには、第１ロック部材を回動させて開くと、これに連動してリンク部材が第２ロック部材を逆方向にスライドさせて、第２ロック部材のロック部を開閉蓋の縁部から離脱させるので、簡単に開閉蓋のロックを解除して開閉蓋を開くことができる。このため、第１ロック部材を回動操作するだけの簡単な操作で、開閉蓋を開閉させることができるので、開閉操作性が良いばかりか、開閉蓋を閉じたときに、確実に開閉蓋をロックすることができ、且つ機器全体の防水性をも確保できる。
【発明を実施するための最良の形態】
【００２９】
（実施形態１）
以下、図１〜図１１を参照して、この発明を防水型のディスクプレーヤに適用した実施形態１について説明する。
図１はこの発明を適用したディスクプレーヤを正面側から見た斜視図、図２はそのディスクプレーヤを裏面側から見た斜視図、図３は図２において開閉蓋を開いた状態を示した斜視図、図４は図２の開閉蓋のロック装置を示した分解斜視図、図５は図４のロック装置の平面図、図６〜図１１は図４のロック装置の各要部を拡大して示した各断面図である。
【００３０】
このディスクプレーヤは、図１に示すように、機器ケース１の正面に表示部２およびスピーカ部３が設けられていると共に、図２および図３に示すように、機器ケース１の裏面にＤＶＤ（デジタル・バーサタイル・ディスク）などの記録媒体を収納するディスク収納部４が設けられ、このディスク収納部４が開閉蓋５によって開閉自在に塞がれ、ディスク収納部４内に設けられたディスク読取部６によって、収納されたＤＶＤなどの記録媒体に記録されたデータを読み取り、この読み取ったデータに基づいて映像などの情報を表示部２に表示すると共に、音声などの情報をスピーカ部３から放音するように構成されている。
【００３１】
この場合、表示部２は、液晶表示装置やＥＬ（エレクトロルミネッセンス）表示装置などの平面型の表示装置からなり、図１に示すように、機器ケース１の正面におけるほぼ全域に設けられている。スピーカ部３は、機器ケース１の正面における表示部２の両側下部に設けられている。また、機器ケース１の正面における表示部２の下側で、両側のスピーカ部３の間に位置する箇所には、メニュー選択用やチャンネル選択用などの各種の押釦スイッチ７ａが設けられている。
【００３２】
また、機器ケース１の裏面には、図２および図３に示すように、ディスク収納部４がほぼ全域に設けられている。このディスク収納部４を塞ぐ開閉蓋５は、その下部がヒンジ部８によって回動可能に機器ケース１に取り付けられている。この開閉蓋５の内面には、ＤＶＤなどの記録媒体を囲むように防水パッキン部９が円形状に設けられている。また、この開閉蓋５の下側に位置する機器ケース１の裏面には、電池蓋１０が取外し可能に取り付けられている。さらに、機器ケース１の上面には、ディスク収納部４を開閉自在に塞ぐ開閉蓋５をロックするロック装置１１が設けられており、その両側には、モード切替用、音量調整用、記録・再生用などに必要な各種の押釦スイッチ７ｂが設けられている。
【００３３】
ところで、ロック装置１１は、図４に示すように、機器ケース１の上面に一端部が回動可能に取り付けられた第１ロック部材１２と、この第１ロック部材１２の内面に回動可能に取り付けられたリンク部材１３と、このリンク部材１３に一端部が回動可能に取り付けられて他端部に開閉蓋５の縁部５ａを係脱可能にロックするロック部１５が設けられた第２ロック部材１４とを備えた構成になっている。
【００３４】
すなわち、第１ロック部材１２は、図４および図６に示すように、その下面側に開放された収納凹部１６を有するカバー形状に形成され、機器ケース１の裏面側に位置する先端部に開閉操作部１７が形成され、この状態で機器ケース１の上面における正面側に設けられた一対の第１軸支持部１８に、第１ロック部材１２の一端部（図６（ｂ）では左端部）が連結ピン１９によって回動可能に取り付けられた構成になっている。この場合、開閉操作部１７は、図６に示すように、上部が膨らんで突出していることにより、指が掛かりやすい形状に形成されている。
【００３５】
リンク部材１３は、図４に示すように、第１ロック部材１２の収納凹部１６内に配置される平板状に形成され、その一端部（図６（ｂ）では右端部）が第１ロック部材１２の下面に設けられた一対の第２軸支持部２０に連結ピン２１によって回動可能に取り付けられた構成になっている。また、第２ロック部材１４は、第１ロック部材１２の収納凹部１６内に配置される平板状に形成されていると共に、ロック部１５と反対側に位置する一端部側（図４では右上の端部側）にリンク部材１３が挿入する切欠け収納部２２が設けられた構成になっている。
【００３６】
すなわち、この第２ロック部材１４は、図６（ａ）および図６（ｂ）に示すように、切欠け収納部２２内にリンク部材１３が配置された状態で、このリンク部材１３の他端部（図６（ｂ）では左端部）に第２ロック部材１４の一端部（図６（ｂ）では左端部）が連結ピン２３によって回動可能に取り付けられた構成になっている。この場合、第２ロック部材１４の他端部（図６（ｂ）では右端部）には、開閉蓋５の上端の縁部５ａを係脱可能にロックするロック部１５が設けられている。このロック部１５は、図６（ａ）および図６（ｂ）に示すように、その先端面が上部から下部に亘って内側に向けて傾斜する傾斜面１５ａに形成されている。
【００３７】
これにより、このロック装置１１は、図４および図６に示すように、開閉蓋５が機器ケース１のディスク収納部４を塞いで閉じた状態で、第１ロック部材１２を閉じる方向つまり押し下げるように回動させると、図６（ａ）に示すように、リンク部材１３が第２ロック部材１４を機器ケース１の正面側（同図では左側）に向けてスライドさせ、この第２ロック部材１４のロック部１５を機器ケース１の正面側に向けて引き寄せることにより、このロック部１５が開閉蓋５の縁部５ａをロックして、開閉蓋５を機器ケース１のディスク収納部４に圧接させるように構成されている。
【００３８】
一方、第１ロック部材１２における開閉操作部１７には、図４および図７に示すように、第１ロック部材１２の内側に向けて外力が加わると、第２ロック部材１４のロック部１５に係止されて、第１ロック部材１２の開動作を規制する補助ロック部材２５が設けられている。この補助ロック部材２５は、図４および図７に示すように、第１ロック部材１２の開閉操作部１７の両側に設けられた切欠け部１７ａ内に軸部２６によって回動可能に取り付けられたフラップ２７と、軸部２６に取り付けられてフラップ２７を第１ロック部材１２の外側に向けて付勢するばね部材２８とを備えた構成になっている。
【００３９】
これにより、補助ロック部材２５は、図７（ａ）および図７（ｂ）に示すように、フラップ２７に外力が加わると、図７（ｂ）に示すように、フラップ２７が軸部２６を中心にばね部材２８のばね力に抗して回動し、この回動したフラップ２７が第２ロック部材１４におけるロック部１５の傾斜面１５ａに当接し、これによりフラップ２７がロック部１５に係止され、第１ロック部材１２が上方に向けて回動するのを阻止するように構成されている。
【００４０】
また、第１ロック部材１２の開閉操作部１７と第２ロック部材１４のロック部１５とが互いに対面する対向面には、図４および図１１に示すように、第１ロック部材１２を完全に閉じるときに、互いに係脱可能に係合する金属製の第３ロック部材３０が設けられている。この第３ロック部材３０は、図１１（ａ）および図１１（ｂ）に示すように、第２ロック部材１４におけるロック部２４の先端面に設けられた第１金属板３１と、第１ロック部材１２における開閉操作部１７の内面に設けられた第２金属板３２とからなり、第１金属板３１に設けられた突起部３１ａを第２金属板３２に設けられた突起部３２ａが乗り越えて係合することにより、所定の係合力で係合するように構成されている。
【００４１】
次に、このような開閉蓋５のロック装置１１の作用について、図６〜図１０を参照して説明する。
予め、図３に示すように、開閉蓋５を開き、機器ケース１のディスク収納部４内にＤＶＤなどの記録媒体を収納して開閉蓋５を閉じる。この状態では、図６（ｂ）に示すように、ロック装置１１の第１ロック部材１２が第１軸支持部１８の連結ピン１９を中心に上方に回動して開き、第２ロック部材１４がリンク部材１３によって機器ケース１の裏面側に向けて押し出されていると共に、第２ロック部材１４のロック部２４が開閉蓋５の縁部５ａの上方に位置する。これにより、開閉蓋５が開閉可能な状態になっている。
【００４２】
この状態で、開閉蓋５を閉じ、第１ロック部材１２の開閉操作部１７の上部を押し下げると、図８に示すように、第１ロック部材１２が第１軸支持部１８の連結ピン１９を中心に下側に向けて回動し、これに伴って第１ロック部材１２の第２軸支持部２０に連結ピン２１によって取り付けられたリンク部材１３が押し下げられ、このリンク部材１３の他端部、つまり連結ピン２３側の端部が機器ケース１の上面に押し当てられると共に、第２ロック部材１４が押し下げられる。このときには、図８に示すように、第２ロック部材１４のロック部１５も押し下げられて、開閉蓋５の縁部５ａの後方（図８では右側）に位置して並んだ状態になる。
【００４３】
この後、第１ロック部材１２を更に押し下げると、図９に示すように、第１ロック部材１２によってリンク部材１３が更に押し下げられると共に、このリンク部材１３の他端部、つまり連結ピン２３側の端部が機器ケース１の上面に押し当てられるので、リンク部材１３が連結ピン２１を中心に第１ロック部材１２の内面に向けて相対的に回動し、これに伴ってリンク部材１３の連結ピン２３側の端部が機器ケース１の正面側（図９では左側）に向けてスライドする。これにより、第２ロック部材１４が機器ケース１の正面側（図９では左側）に向けて移動し、第２ロック部材１４のロック部１５が図９に示すように開閉蓋５の縁部５ａに接近する。
【００４４】
そして、更に第１ロック部材１２を押し下げると、図１０に示すように、リンク部材１３が連結ピン２１を中心に回動して第１ロック部材１２の内面に接近すると共に、このリンク部材１３の他端部、つまり連結ピン２３側の端部が機器ケース１の上面に沿って機器ケース１の正面側（図１０では左側）に向けて更にスライドする。これにより、第２ロック部材１４が機器ケース１の正面側（図１０では左側）に向けて更に移動し、第２ロック部材１４のロック部２４が図１０に示すように開閉蓋５の縁部５ａに当接する。
【００４５】
この状態で、第１ロック部材１２を更に押し下げると、図６（ａ）に示すように、リンク部材１３が連結ピン２１を中心に回動して第１ロック部材１２の収納凹部１６内にほぼ水平に収納されると共に、このリンク部材１３の連結ピン２３側の端部がスライドして機器ケース１の上面に設けられた第１軸支持部１８の連結ピン１９に接近する。これにより、第２ロック部材１４が機器ケース１の正面側（図６（ａ）では左側）に向けて更に移動し、リンク部材１３が第２ロック部材１４の切欠け収納部２２内に挿入されると共に、第２ロック部材１４がリンク部材１３と共に第１ロック部材１２の収納凹部１６内にほぼ水平な状態で収納される。
【００４６】
このときには、第２ロック部材１４のロック部１５が開閉蓋５の縁部５ａに当接しているので、第１ロック部材１２に負荷が加わり、この負荷に抗して第１ロック部材１２を押し下げると、図６（ａ）に示すように、第２ロック部材１４のロック部１５が開閉蓋５の縁部５ａを所定の負荷を持ってロックする。これにより、開閉蓋５が機器ケース１の裏面に押し付けられて、開閉蓋５の防水パッキン部９が機器ケース１のディスク収納部４の内面に圧接し、この状態で開閉蓋５が機器ケース１のディスク収納部４を塞ぐ。
【００４７】
また、このときには、第１ロック部材１２の開閉操作部１７と第２ロック部材１４のロック部１５とが互いに対面する対向面に設けられた金属製の第３ロック部材３０によって、第１ロック部材１２と第２ロック部材１４との係合力が確保される。すなわち、第１ロック部材１２を完全に閉じるときに、図４および図１１に示すように、第２ロック部材１４におけるロック部１５の先端面に設けられた第１金属板３１の突起部３１ａを、第１ロック部材１２における開閉操作部１７の内面に設けられた第２金属板３２の突起部３２ａが乗り越えて係合することにより、第１ロック部材１２と第２ロック部材１４との係合力が確保され、これにより第１ロック部材１２の開閉力を適度な値になる。
【００４８】
また、このロック装置１１による開閉蓋５のロックを解除する場合には、図６（ａ）に示す状態で、第２ロック部材１９のロック部２１が開閉蓋５の縁部５ａに対する所定の負荷、および第３ロック部材３０による係合力に抗して、第１ロック部材１２の開閉操作部１７を押し上げ、第１軸支持部１８の連結ピン１９を中心に第１ロック部材１２を上方に回動させれば良い。すると、上述したロック動作とは逆に、リンク部材１３の連結ピン２１が上方に移動して、第２ロック部材１４を機器ケース１の裏面側に向けてスライドさせるので、図６（ｂ）に示すように、第２ロック部材１４のロック部１５による開閉蓋５の縁部５ａのロックが解除され、これにより開閉蓋５を開くことができる。
【００４９】
このように、この開閉蓋５のロック装置１１によれば、機器ケース１の上面に一端部が回動可能に取り付けられて他端部に開閉操作部１７が設けられた第１ロック部材１２と、この第１ロック部材１２の内面に回動可能に取り付けられたリンク部材１３と、このリンク部材１３に一端部が回動可能に取り付けられて他端部に開閉蓋５の縁部５ａを係脱可能にロックするロック部１５が設けられた第２ロック部材１４とを備え、開閉蓋５を閉じた状態で第１ロック部材１２を閉じる方向に回動させると、リンク部材１３が第２ロック部材１４をスライドさせて第２ロック部材１４のロック部１５を機器ケース１側に向けて引き寄せることにより、このロック部１５が開閉蓋５の縁部５ａをロックして開閉蓋５を機器ケース１に圧接させることができる。
【００５０】
このため、第１ロック部材１２を回動させて閉じるだけで、簡単に開閉蓋５を機器ケース１に圧接させて、機器ケース１のディスク収納部４を開閉蓋５で塞ぐことができ、これにより気密性を確保して、確実に開閉蓋５をロックすることができる。また、開閉蓋５を開くときには、第１ロック部材１２を回動させて開くと、これに連動してリンク部材１３が第２ロック部材１４を逆方向にスライドさせて、第２ロック部材１４のロック部１５を開閉蓋５の縁部５ａから離脱させるので、簡単に開閉蓋５のロックを解除して開閉蓋５を開くことができる。これにより、第１ロック部材１２を回動操作するだけの簡単な操作で、開閉蓋５を開閉させることができるので、開閉操作性が良いばかりか、開閉蓋５を閉じたときに、確実に開閉蓋５をロックすることができる。
【００５１】
この場合、第１ロック部材１２はその下面側に開放された収納凹部１６が設けられ、リンク部材１３は第１ロック部材１２の収納凹部１６内に配置される平板状に形成され、第２ロック部材１４は第１ロック部材１２の収納凹部１６内に配置される平板状に形成されていると共に、その一端部にリンク部材１３が挿入する切欠け収納部２２が設けられていることにより、第１ロック部材１２を閉じて開閉蓋５をロックした状態のときに、第２ロック部材１４の切欠け収納部２２内にリンク部材１３を収納することができると共に、これらリンク部材１３と第２ロック部材１４とを第１ロック部材１２の収納凹部１６内に収納することができ、これにより全体がコンパクトになるばかりか、リンク部材１３と第２ロック部材１４とが外部から見えないため、外観がすっきりした形状になり、デザイン性の高いものを得ることができる。
【００５２】
また、第１ロック部材１２における開閉操作部１７には、図４および図７に示すように、第１ロック部材１２の内側に向けて外力が加わると、第２ロック部材１４のロック部１５に係止される補助ロック部材２５が設けられていることにより、例えばＪＩＳ規格における防水６等級の防水性能検査をする際、第１ロック部材１２の開閉操作部１７に水道水などの水を直接噴き付けると、その水圧によって補助ロック部材２５が第２ロック部材１４のロック部１５に係止されるので、補助ロック部材２５によって第１ロック部材１２が開かないようにロックすることができ、これにより確実に開閉蓋５のロック状態を維持することができる。
【００５３】
すなわち、この補助ロック部材２５は、図４および図７に示すように、第１ロック部材１２の開閉操作部１７の両側に設けられた切欠け部１７ａ内に軸部２６によって回動可能に取り付けられたフラップ２７と、軸部２６に取り付けられてフラップ２７を第１ロック部材１２の外側に向けて付勢するばね部材２８とを備えた構成であるから、防水性能の検査をする際、第１ロック部材１２の開閉操作部１７に噴き付けられた水の圧力によって、補助ロック部材２５のフラップ２７がばね部材２８のばね力に抗して軸部２６を中心に回動し、このフラップ２７が第２ロック部材１４におけるロック部１５の傾斜面１５ａに当接して係止される。
【００５４】
このため、この補助ロック部材２５では、防水性能を検査するときに、噴き付けられた水の圧力によってフラップ２７が第２ロック部材１４のロック部１５に係止されて第１ロック部材１２の開動作を阻止するので、フラップ２７に外力が加わっても、開閉蓋５が勝手に開かないように、開閉蓋５のロック状態を確実に維持することができると共に、第１ロック部材１２の開閉操作力を必要最小限に軽減することができる。また、第１ロック部材１２を開くときには、フラップ２７がばね部材２８のばね力によって回動して初期位置に戻り、フラップ２７が第２ロック部材１４のロック部１５から離脱するので、第１ロック部材１２を簡単に回動させることができ、これにより第１ロック部材１２の開閉操作性を向上させることができると共に、容易に開閉蓋５を開くことができる。
【００５５】
さらに、このロック装置１１では、開閉蓋５を閉じるときに、第１ロック部材１２の開閉操作部１７と第２ロック部材１４のロック部１５とが互いに係脱可能に係合する第１、第２金属板３１、３２からなる第３ロック部材３０を備えているので、この第３ロック部材３０の第１、第２金属板３１、３２によって第１ロック部材１２と第２ロック部材１４との係合力を確保することができ、これにより第１ロック部材１２の開閉力を適度に設定することができる。この場合、特に第３ロック部材３０による第１ロック部材１２と第２ロック部材１４との係合力を調節して、第１ロック部材１２の開閉力を強くしたり、また弱くしたりすることにより、第１ロック部材１２の開閉力を所望する値に設定することができ、これにより使い勝手の良いものを得ることができる。
【００５６】
このように、この防水型のディスクプレーヤによれば、開閉蓋５のロック装置１１を備えているので、第１ロック部材１２を回動させて閉じるだけで、簡単に開閉蓋５を機器ケース１に圧接させて、機器ケース１のディスク収納部４を開閉蓋５で塞ぐことができ、これにより気密性を確保して、確実に開閉蓋５をロックすることができるので、機器全体の防水性を確保することができると共に、第１ロック部材１２を回動操作するだけの簡単な操作で、開閉蓋５を開閉させることができるので、開閉操作性も良く、使い勝手の良いものを得ることができる。
【００５７】
（実施形態２）
次に、図１２および図１３を参照して、この発明を適用したロック装置の実施形態２について説明する。なお、図１〜図１１に示された実施形態１と同一部分には同一符号を付して説明する。
このロック装置４０は、補助ロック部材４１が実施形態１と異なる構成で、これ以外は実施形態１とほぼ同じ構成なっている。
【００５８】
すなわち、この補助ロック装置４１は、実施形態１と同様、第１ロック部材１２の開閉操作部１７の両側に設けられた切欠け部１７ａ内に軸部２６によって回動可能に取り付けられたフラップ２７と、軸部２６に取り付けられてフラップ２７を第１ロック部材１２の外側に向けて付勢するばね部材２８とを備えている（図４および図７参照）ほか、図１２および図１３に示すように、フラップ２７の内面に設けられた係合爪４２と、ロック部１５の傾斜面１５ａに設けられてフラップ２７の係合爪４２が係脱可能に係合する係止突起部４３とを備えた構成になっている。
【００５９】
これにより、補助ロック部材４１は、フラップ２７に外力が加わると、図１３に示すように、フラップ２７が軸部２６を中心にばね部材２８のばね力に抗して回動し、この回動したフラップ２７が第２ロック部材１４におけるロック部１５の傾斜面１５ａに接近し、このロック部１５の傾斜面１５ａに設けられた係止突起部４３にフラップ２７の係合爪４２が係合し、これによりフラップ２７がロック部１５に係止され、第１ロック部材１２が上方に向けて回動するのを阻止するように構成されている。また、この補助ロック部材４１は、通常は、ばね部材２８のばね力によってフラップ２７が軸部２６を中心に回動し、ロック部１５の係止突起部４３からフラップ２７の係合爪４２が離脱し、初期位置に戻るように構成されている。
【００６０】
このようなロック装置４０によれば、実施形態１と同様の作用効果があるほか、特に補助ロック部材４１が、フラップ２７の内面に設けられた係合爪４２と、ロック部１５の傾斜面１５ａに設けられてフラップ２７の係合爪４２が係脱可能に係合する係止突起部４３とを備えているので、ばね部材２８のばね力に抗してフラップ２７に外力が加わったときに、フラップ２７の係合爪４２が第２ロック部材１４のロック部１５に設けられた係止突起部４３に係脱可能に係合することにより、第１ロック部材１２の開動作を確実に阻止することができ、これにより開閉蓋５のロック状態を確実に維持することができる。
【００６１】
すなわち、この場合にも、実施形態１と同様、ＪＩＳ規格における防水６等級の防水性能を検査する際、第１ロック部材１２の開閉操作部１７に水道水などの水を直接噴き付けると、その水の圧力によってフラップ２７がばね部材２８のばね力に抗して回動し、このフラップ２７の係合爪４２が第２ロック部材１４におけるロック部２４の係止突起部４３に係合するので、実施形態１よりも、確実に第１ロック部材１２の開動作を阻止することができ、これにより開閉蓋５が勝手に開かないように、開閉蓋５のロック状態を確実に維持することができ、これによっても第１ロック部材１２の開閉操作力を軽減することができる。
【００６２】
（実施形態３）
次に、図１４〜図１７を参照して、この発明を適用したロック装置の実施形態３について説明する。この場合にも、図１〜図１１に示された実施形態１と同一部分に同一符号を付して説明する。
このロック装置５０は、補助ロック部材５１を第１ロック部材１２の開閉操作部１７の両側を除く中央部分に設けた構成で、これ以外は実施形態１とほぼ同じ構成になっている。
【００６３】
すなわち、第１ロック部材１２の開閉操作部１７における中央部分には、図１４に示すように、切欠け部５２がその両側部分を除いて細長く形成されている。補助ロック装置５１は、第１ロック部材１２の開閉操作部１７に設けられた切欠け部５２内に軸部２６によって回動可能に取り付けられた横長のフラップ５３と、このフラップ５３の両側に位置する軸部２６に取り付けられた一対のばね部材２８とを備えた構成になっている。
【００６４】
従って、この補助ロック部材５１は、実施形態１と同様、フラップ５３に外力が加わると、図１７に示すように、フラップ５３が軸部２６を中心に一対のばね部材２８のばね力に抗して回動し、このフラップ５３が第２ロック部材１４におけるロック部１５の傾斜面１５ａに当接し、これによりフラップ５３がロック部１５に係止され、第１ロック部材１２が上方に向けて回動するのを阻止するように構成されている。また、この補助ロック部材５１は、通常は、ばね部材２８のばね力によってフラップ５３が軸部２６を中心に回動し、ロック部１５の傾斜面１５ａから離れ、初期位置に戻るように構成されている。
【００６５】
このようなロック装置５０によれば、補助ロック部材５１が第１ロック部材１２の開閉操作部１７の両側を除く中央部分に設けられていることにより、実施形態１と同様、ＪＩＳ規格における防水６等級の防水性能を検査する際、噴き付けられた水の圧力によって補助ロック部材５１のフラップ５３が第２ロック部材１４のロック部１５に係止されるので、第１ロック部材１２が開かないようにロックすることができるほか、特に機器ケース１を携帯するときに、誤って第１ロック部材１２を掴んで持ち上げても、第１ロック部材１２が開かないようにロックすることができる。
【００６６】
すなわち、機器ケース１を携帯するときに、誤って第１ロック部材１２を掴んで持ち上げると、補助ロック部材５１のフラップ５３が第１ロック部材１２の内側に向けて押されるので、このフラップ５３が第２ロック部材１４のロック部１５に係止され、これにより第１ロック部材１２が開かないようにロックすることができる。このため、第１ロック部材１２を掴んで持ち上げても、開閉蓋５が勝手に開かないように、確実に開閉蓋５のロック状態を維持することができると共に、第１ロック部材１２の開閉操作力を必要最小限に軽減することができる。
【００６７】
また、この補助ロック部材５１においても、通常は、ばね部材２８のばね力によってフラップ５３が軸部２６を中心に回動し、ロック部１５の傾斜面１５ａから離れて初期位置に戻るので、第１ロック部材１２を開くときに、フラップ５３の両側に位置する開閉操作部１７を開く方向に操作することにより、第１ロック部材１２を簡単に回動させることができ、これにより第１ロック部材１２の開閉操作性を向上させることができると共に、容易に開閉蓋５を開くことができる。
【００６８】
なお、上記実施形態３の補助ロック部材５１においても、実施形態２と同様、フラップ５３の内面に係合爪４２を設け、ロック部１５の傾斜面１５ａにフラップ５３の係合爪４２が係脱可能に係合する係止突起部４３を設けた構成でも良い。このように構成すれば、実施形態２と同様、ばね部材２８のばね力に抗してフラップ５３に外力が加わったときに、フラップ５３の係合爪４２が第２ロック部材１４のロック部１５に設けられた係止突起部４３に係脱可能に係合することにより、第１ロック部材１２の開動作を確実に阻止することができ、これにより開閉蓋５のロック状態を確実に維持することができる。
【００６９】
また、上記実施形態１〜３の開閉蓋５のロック装置１１、４０、５０では、防水型のディスクプレーヤに適用した場合について述べたが、必ずしも防水型のディスクプレーヤに限らず、非防水型のディスクプレーヤにも適用することができるほか、電子カメラ、携帯電話機、ＰＤＡ（パーソンル・デジタル・アシスタント）などの各種機器にも広く適用することができる。
【００７０】
さらに、上記実施形態１〜３では、防水機器として、防水型のディスクプレーヤに適用した場合について述べたが、これに限らず、電子カメラ、携帯電話機、ＰＤＡなどの防水型の各種機器に広く適用することができる。
【図面の簡単な説明】
【００７１】
【図１】この発明を適用したディスクプレーヤを正面側から見た斜視図である。（実施形態１）
【図２】図１のディスクプレーヤを裏面側から見た斜視図である。
【図３】図２において開閉蓋を開いた状態を示した斜視図である。
【図４】図２のロック装置を示した分解斜視図である。
【図５】図２のロック装置を示した平面図である。
【図６】図５のロック装置におけるＡ−Ａ断面を示し、（ａ）はそのロック状態を示した拡大断面図、（ｂ）はそのロック解除状態を示した拡大断面図である。
【図７】図５のロック装置におけるＢ−Ｂ断面を示し、（ａ）はその補助ロック部材の通常状態を示した拡大断面図、（ｂ）は補助ロック部材によるロック状態を示した拡大断面図である。
【図８】図６（ｂ）のロック解除状態で第１ロック部材を少し押し下げた状態を示した拡大断面図である。
【図９】図８の状態で第１ロック部材を更に押し下げた状態を示した拡大断面図である。
【図１０】図９の状態から更に第１ロック部材を押し下げてロック部が開閉蓋の縁部を機器ケース側に引き寄せる状態を示した拡大断面図である。
【図１１】図４の第３ロック部材を示し、（ａ）は第１金属板の係合爪が第２金属板の係止突起部に係合した状態を示した拡大断面図、（ｂ）は第１金属板の係合爪が第２金属板の係止突起部に係合する前の状態を示した拡大断面図である。
【図１２】この発明を適用したディスクプレーヤのロック装置を示した拡大断面図である。（実施形態２）
【図１３】図１２のロック装置における補助ロック部材に外力が加わった状態を示した拡大断面図である。
【図１４】この発明を適用したディスクプレーヤのロック装置を示した分解斜視図である。（実施形態３）
【図１５】図１４のロック装置の平面図である。
【図１６】図１５のＣ−Ｃ矢視における拡大断面図である。
【図１７】図１６における補助ロック部材のロック状態を示した拡大断面図である。
【符号の説明】
【００７２】
１  機器ケース
４  ディスク収納部
５  開閉蓋
５ａ  開閉蓋の縁部
１１、４０、５０  ロック装置
１２  第１ロック部材
１３  リンク部材
１４  第２ロック部材
１５  ロック部
１６  収納凹部
１７  開閉操作部
２２  切欠け収納部
２５、４１、５１  補助ロック部材
２６  軸部
２７、５３  フラップ
２８  ばね部材
３０  第３ロック部材
４２  係合爪
４３  係止突起部
【図１】
2007059662.tif 000003
【図２】
2007059662.tif 000004
【図３】
2007059662.tif 000005
【図４】
2007059662.tif 000006
【図５】
2007059662.tif 000007
【図６】
2007059662.tif 000008
【図７】
2007059662.tif 000009
【図８】
2007059662.tif 000010
【図９】
2007059662.tif 000011
【図１０】
2007059662.tif 000012
【図１１】
2007059662.tif 000013
【図１２】
2007059662.tif 000014
【図１３】
2007059662.tif 000015
【図１４】
2007059662.tif 000016
【図１５】
2007059662.tif 000017
【図１６】
2007059662.tif 000018
【図１７】
2007059662.tif 000019